(57)【要約】    【課題】      複数の種類の管理ネットワークで用いられる複数の種類のキャリア信号のパケット及びユーザが用いる複数の種類の主信号用ネットワークの複数の種類の主信号のパケットを処理すること。    【解決手段】  パケット交換装置１００は、複数の種類のキャリア信号及主信号を送受信する送受信部１０１と、送受信部１０１の動作を監視及び制御する監視制御部１０２と、を具備する。監視制御部１０２のネットワーク処理部３０１は、前記複数の種類のキャリア信号及び主信号のパケットを当該パケットに含まれる管理情報又はネットワーク管理情報蓄積部３０２に蓄積されている管理情報で処理する。監視制御部１０２のネットワーク管理情報蓄積部３０２は、前記パケットに含まれている前記管理情報及び前記複数の種類のキャリア信号及び主信号のパケットを処理する時に生成する管理情報を蓄積する。  【選択図】      図１
2006109423.tif 000002
【特許請求の範囲】
【請求項１】
複数の種類の管理ネットワークで用いる複数の種類のキャリア信号及び複数の種類の主信号用ネットワークの複数の種類の主信号を送受信する送受信手段と、前記送受信手段の動作を監視及び制御する監視制御手段と、を具備し、
前記監視制御手段は、ネットワーク処理部及びネットワーク管理情報蓄積部を具備し、
前記ネットワーク処理部は、前記複数の種類のキャリア信号及び前記複数の種類の主信号のパケットを当該パケットに含まれる管理情報又は前記ネットワーク管理情報蓄積部に蓄積されている管理情報で処理し、前記ネットワーク管理情報蓄積部は、前記パケットに含まれている前記管理情報並びに前記複数の種類のキャリア信号及び前記複数の種類の主信号のパケットを処理する時に生成する管理情報を蓄積するパケット交換装置。
【請求項２】
前記ネットワーク処理部は、前記複数の種類のキャリア信号及び前記複数の種類の主信号のパケットを順次に処理するイーサネット（登録商標）処理部、ＩＰ処理部、トランスポート処理部及びアプリケーション処理部と、前記複数の種類のキャリア信号及び主信号の種類別に前記管理情報を振り分けるキャリア別振り分け手段と、を具備し、前記イーサネット（登録商標）処理部と前記ＩＰ処理部と前記トランスポート処理部と前記アプリケーション処理部とが前記複数の種類のキャリア信号及び主信号のパケットを前記管理情報で処理する時及び前記複数の種類のキャリア信号及び主信号のパケットを処理する時に生成する前記管理情報を前記ネットワーク管理情報蓄積部に蓄積する時に前記キャリア別振り分け手段は前記イーサネット（登録商標）処理部と前記ＩＰ処理部と前記トランスポート処理部と前記アプリケーション処理部と前記ネットワーク管理情報蓄積部とに前記管理情報を振り分ける請求項１に記載のパケット交換装置。
【請求項３】
前記キャリア別振り分け手段は、前記イーサネット（登録商標）処理部、前記ＩＰ処理部、前記トランスポート処理部及び前記アプリケーション処理部ごとに１つのキャリア別振り分け部を具備し、前記キャリア別振り分け部の各々は、対応する前記イーサネット（登録商標）処理部、前記ＩＰ処理部、前記トランスポート処理部及び前記アプリケーション処理部が前記複数の種類のキャリア信号及び受信号のパケットを前記管理情報を用いて処理する時及び前記複数の種類のキャリア信号のパケットを処理する時に生成する前記管理情報を前記ネットワーク管理情報蓄積部に蓄積する時に前記イーサネット（登録商標）処理部と前記ＩＰ処理部と前記トランスポート処理部及び前記アプリケーション処理部との各々と前記ネットワーク管理情報蓄積部とに前記管理情報を振り分ける請求項２に記載のパケット交換装置。
【発明の詳細な説明】
【技術分野】
【０００１】
本発明は、通信ネットワークシステムにおけるパケット交換装置に関するものである。
【背景技術】
【０００２】
従来の通信ネットワークシステムとして、特許文献１に記載されたものがある。この特許文献１に記載された従来の通信ネットワークシステムは、無線ＬＡＮユーザの端末装置、無線ＡＰ２、認証機能部、ＲＡＳ（パケット交換装置）及び網終端装置を具備している。
【０００３】
この無線ＬＡＮユーザの端末装置は、無線ＡＰ２に無線ＬＡＮユーザの認証ための情報を送信すると、前記無線ＡＰ２はこの情報を前記認証機能部に通知する。この認証機能部で無線ＬＡＮユーザが認証されると、端末装置及び無線ＡＰ２の暗号化通信が確立される。そして、端末装置は、ＩＳＰまたは企業内ネットワークなどのネットワークに、ネットワーク接続用の認証情報を送信する。前記ＲＡＳ（パケット交換装置）は、このネットワーク接続用の認証情報から接続先ネットワークを収容する網終端装置を決定してルーチングする。
【特許文献１】特開２００３−３１８９２２号公報
【発明の開示】
【発明が解決しようとする課題】
【０００４】
しかしながら、従来の通信ネットワークシステムのパケット交換装置においては、パケット交換装置を管理するキャリアは１社であり、複数のキャリアが個別の管理ネットワークを構築した場合、これらのネット管理ネットワークで用いる複数の種類のキャリア信号のパケットを処理することができないという問題がある。
【０００５】
また、パソコンのＯＳ等で用いられているマルチユーザ機能を利用し、キャリア毎のＩＤとパスワードを入力することでアクセスできる管理ファイルを分離する方法もある。しかしながら、管理ネットワークは高いセキュリティ性を必要とする情報を扱うために、機密性を高めることを目的にプラベートＩＰアドレス（キャリア毎に独自のＩＰアドレス体系）で構成している場合があり、この場合、上述のマルチユーザ機能を実現する場合、キャリア間でプライベートＩＰアドレスが重ならないように調整する必要がある。仮にキャリア間でプライベートＩＰアドレスが重なっていた場合、どちらかのキャリアの管理ネットワークのプライベートＩＰアドレスを変更する、または、アドレス変換装置をネットワーク内に設置するという、サービスの一時停止にも繋がる作業をキャリアに強いることとなるという問題がある。
【０００６】
本発明は、かかる点に鑑みてなされたものであり、複数の種類の管理ネットワークで用いられる複数の種類のキャリア信号のパケット処理を容易に実現することができるパケット交換装置を提供することを目的とする。
【課題を解決するための手段】
【０００７】
請求項１に記載のパケット交換装置は、複数の種類の管理ネットワークで用いる複数の種類のキャリア信号及び複数の種類の主信号用ネットワークの複数の種類の主信号を送受信する送受信手段と、前記送受信手段の動作を監視及び制御する監視制御手段と、を具備し、前記監視制御手段が、ネットワーク処理部及びネットワーク管理情報蓄積部を具備し、前記ネットワーク処理部が、前記複数の種類のキャリア信号及び前記複数の種類の主信号のパケットを当該パケットに含まれる管理情報又は前記ネットワーク管理情報蓄積部に蓄積されている管理情報で処理し、前記ネットワーク管理情報蓄積部が、前記パケットに含まれている前記管理情報並びに前記複数の種類のキャリア信号及び前記複数の種類の主信号のパケットを処理する時に生成する管理情報を蓄積する構成を採る。
【０００８】
この構成によれば、複数の種類の管理ネットワークで用いられる複数の種類のキャリア信号のパケット及び複数の種類の主信号用ネットワークの複数の種類の主信号のパケットを処理することができ、かつ、このため複数の種類のキャリア信号を用いる複数の通信ネットワークがパケット交換装置を共有することができ、また、ユーザとしてはこのパケット交換装置に他の通信ネットワークを追加して接続することができる。
【０００９】
請求項２に記載のパケット交換装置は、請求項１に記載の発明において、前記ネットワーク処理部が、前記複数の種類のキャリア信号及び前記複数の種類の主信号のパケットを順次に処理するイーサネット（登録商標）処理部、ＩＰ処理部、トランスポート処理部及びアプリケーション処理部と、前記複数の種類のキャリア信号及び主信号の種類別に前記管理情報を振り分けるキャリア別振り分け手段と、を具備し、前記イーサネット（登録商標）処理部と前記ＩＰ処理部と前記トランスポート処理部と前記アプリケーション処理部とが前記複数の種類のキャリア信号及び主信号のパケットを前記管理情報で処理する時及び前記複数の種類のキャリア信号及び主信号のパケットを処理する時に生成する前記管理情報を前記ネットワーク管理情報蓄積部に蓄積する時に前記キャリア別振り分け手段が前記イーサネット（登録商標）処理部と前記ＩＰ処理部と前記トランスポート処理部と前記アプリケーション処理部と前記ネットワーク管理情報蓄積部とに前記管理情報を振り分ける構成を採る。
【００１０】
この構成によれば、請求項１に記載の発明の効果を有し、かつ、イーサネット（登録商標）処理部、ＩＰ処理部、トランスポート処理部及びアプリケーション処理部が複数の種類のキャリア信号及び前記複数の種類の主信号のパケットを順次に処理することができる。
【００１１】
請求項３に記載のパケット交換装置は、請求項２に記載の発明において、前記キャリア別振り分け手段は、前記イーサネット（登録商標）処理部、前記ＩＰ処理部、前記トランスポート処理部及び前記アプリケーション処理部ごとに１つのキャリア別振り分け部を具備し、前記キャリア別振り分け部の各々は、対応する前記イーサネット（登録商標）処理部、前記ＩＰ処理部、前記トランスポート処理部及び前記アプリケーション処理部が前記複数の種類のキャリア信号及び受信号のパケットを前記管理情報を用いて処理する時及び前記複数の種類のキャリア信号のパケットを処理する時に生成する前記管理情報を前記ネットワーク管理情報蓄積部に蓄積する時に前記イーサネット（登録商標）処理部と前記ＩＰ処理部と前記トランスポート処理部及び前記アプリケーション処理部との各々と前記ネットワーク管理情報蓄積部とに前記管理情報を振り分ける構成を採る。
【００１２】
この構成によれば、請求項２に記載の発明の効果を有し、かつ、キャリア別振り分け部の各々が、対応するイーサネット（登録商標）処理部、ＩＰ処理部、トランスポート処理部及びアプリケーション処理部が複数の種類のキャリア信号及び主信号のパケットを管理情報及で処理する時及び前記複数の種類のキャリア信号及び主信号を処理する時に生成する管理情報を前記ネットワーク管理情報蓄積部に蓄積する時に前記イーサネット（登録商標）処理部と前記ＩＰ処理部と前記トランスポート処理部及び前記アプリケーション処理部との各々と前記ネットワーク管理情報蓄積部とに前記管理情報を振り分けることができる。
【発明の効果】
【００１３】
本発明によれば、複数の種類の管理ネットワークで用いられる複数の種類のキャリア信号のパケットの処理を容易に実現することができる。さらに、仮にキャリア間でプライベートＩＰアドレスが重なっていた場合でも、キャリア別振り分け手段により、キャリア毎に管理ネットワークを識別することができるため、プライベートＩＰアドレスの変更を必要としない。従って、複数のキャリア間でのプライベートＩＰアドレスの調整や、その設定の作業を必要としない。さらに、複数キャリア間でのプラベートＩＰアドレスの調整を不要とすることが、管理ネットワーク関連の情報を他キャリアへ開示することを不要とするため、高いセキュリティ性を必要とする管理ネットワークのさらなるセキュリティ確保につながる。
【発明を実施するための最良の形態】
【００１４】
次に、本発明の実施の形態について、図面を参照して詳細に説明する。
【００１５】
（一実施の形態）
図１は、本発明の一実施の形態に係るパケット交換装置の構成を示すブロック図である。
【００１６】
図１に示すように、本発明の一実施の形態に係るパケット交換装置１００は、送受信部１０１と、この送受信部１０１に接続されている監視制御部１０２と、を具備している。
【００１７】
送受信部１０１は、複数の種類のキャリア信号及び主信号を送受信する。監視制御部１０２は、送受信部１０１の動作を監視及び制御する。送受信部１０１は、入出力部１０３と、この入出力部１０３に接続されているスイッチ部１０４を有している。入出力部１０３は、複数の種類のキャリア信号及び主信号が入出力するための複数のイーサネット（登録商標）ポート１０５を有している。なお、監視制御部１０２は、複数の種類のキャリア信号の監視制御用のパケットが入出力するための入出力ポートを有するように構成してもよい。
【００１８】
図２は、本発明の一実施の形態に係るパケット交換装置１００を有する通信ネットワークを示す図である。図２に示すように、パケット交換装置１００は、複数の種類のキャリア信号Ａ、Ｂ、Ｃの管理ネットワーク２０１、２０２、２０３により共有されている。パケット交換装置１００は、管理ネットワーク２０１、２０２、２０３と複数の種類のキャリア信号Ａ、Ｂ、Ｃと用いて通信可能である。また、主信号用ネットワーク２１１、２１２がパケット交換装置１００と複数の種類の主信号を用いて通信可能である。
【００１９】
ここで、主信号は、ユーザのデータを含むパケットで、ユーザのデータ以外に管理情報等の他のデータが含まれていてもよい。また、主信号用ネットワークは、主信号を伝送するネットワークである。
【００２０】
また、キャリア信号は、管理情報を含むパケットである。また、管理ネットワークは、キャリア信号を伝送するネットワークである。
【００２１】
また、管理情報は、少なくともキャリア（オペレータ）を識別するためのキャリア識別子（例えば、ＶＬＡＮ−ＩＤ）を有し、さらにパケットが正常又は異常であることを示すパケット正常異常情報を有する場合もある。
【００２２】
また、キャリアとは、通信ネットワークの運営（オペレーション）をする者、団体、主体等のことである。
【００２３】
図３に示すように、監視制御部１０２は、ネットワーク処理部３０１及びネットワーク管理情報蓄積部３０２を具備している。ネットワーク処理部３０１は、送受信部１０１から送られてくる複数の種類のキャリア信号及び主信号のパケットを処理して処理後のパケットを送受信部１０１に与え、かつ、複数の種類のキャリア信号及び主信号のパケットに含まれている管理情報をネットワーク管理情報蓄積部３０２に与える。前記管理情報は、ネットワーク処理部３０１が複数の種類のキャリア信号及び主信号のパケットを処理する時に用いるものである。また、ネットワーク処理部３０１は、複数の種類のキャリア信号及び主信号のパケットを処理する時に生成する管理情報をネットワーク管理情報蓄積部３０２に与える。ネットワーク管理情報蓄積部３０２は、ネットワーク処理部３０１から送られてくる管理情報を蓄積する。
【００２４】
ネットワーク処理部３０１は、イーサネット（登録商標）処理部３０１１、ＩＰ処理部３０１２、トランスポート処理部３０１３及びアプリケーション処理部３０１４と、を具備している。イーサネット（登録商標）処理部３０１１、ＩＰ処理部３０１２、トランスポート処理部３０１３及びアプリケーション処理部３０１４は、複数の種類のキャリア信号及び主信号のパケットを順次に処理する。
【００２５】
具体的には、イーサネット（登録商標）処理部３０１１、ＩＰ処理部３０１２、トランスポート処理部３０１３及びアプリケーション処理部３０１４の各々は、パケットの正常性の確認処理、ヘッダの挿入及び削除、エラー時の処理並びにパケットが正常である場合におけるキャリア識別子と共にパケットの他の処理部への送信処理などの処理を行う。
【００２６】
また、ネットワーク処理部３０１は、複数のキャリア別振り分け部３０１５、３０１６、３０１７、３０１８を具備している。イーサネット（登録商標）処理部３０１１とＩＰ処理部３０１２とトランスポート処理部３０１３とアプリケーション処理部３０１４とが複数の種類のキャリア信号及び主信号のパケットを管理情報で処理する時及び複数の種類のキャリア信号及び主信号のパケットを処理する時に生成する管理情報をネットワーク管理情報蓄積部３０２に蓄積する時に、複数のキャリア別振り分け部３０１５、３０１６、３０１７、３０１８は、イーサネット（登録商標）処理部３０１１とＩＰ処理部３０１２とトランスポート処理部３０１３とアプリケーション処理部３０１４とネットワーク管理情報蓄積部３０２とに複数の種類のキャリア信号及び主信号の複数の種類別に管理情報を振り分ける。
【００２７】
ネットワーク管理情報蓄積部３０２は、イーサネット（登録商標）情報蓄積部３０２１、ＩＰ情報蓄積部３０２２、トランスポート情報蓄積部３０２３及びアプリケーション情報蓄積部３０２４を具備している。イーサネット（登録商標）情報蓄積部３０２１、ＩＰ情報蓄積部３０２２、トランスポート情報蓄積部３０２３及びアプリケーション情報蓄積部３０２４の各々は、複数のキャリア別振り分け部３０１５、３０１６、３０１７、３０１８の各々により振り分けられた管理情報を蓄積する。
【００２８】
イーサネット（登録商標）情報蓄積部３０２１は、キャリアＡ情報部３０３１、キャリアＢ情報部３０３２及びキャリアＣ情報部３０３３を具備している。キャリアＡ情報部３０３１、キャリアＢ情報部３０３２及びキャリアＣ情報部３０３３は、イーサネット（登録商標）処理部３０１１がパケットを処理する時に用いるキャリア信号Ａ、Ｂ、Ｃのパケットの管理情報を蓄積するものである。
【００２９】
ＩＰ情報蓄積部３０２２は、キャリアＡ情報部３０４１、キャリアＢ情報部３０４２及びキャリアＣ情報部３０４３を具備している。キャリアＡ情報部３０４１、キャリアＢ情報部３０４２及びキャリアＣ情報部３０４３は、ＩＰ処理部３０１２がパケットを処理する時に用いるキャリア信号Ａ、Ｂ、Ｃのパケットの管理情報を蓄積するものである。
【００３０】
トランスポート情報蓄積部３０２３は、キャリアＡ情報部３０５１、キャリアＢ情報部３０５２及びキャリアＣ情報部３０５３を具備している。キャリアＡ情報部３０５１、キャリアＢ情報部３０５２及びキャリアＣ情報部３０５３は、トランスポート処理部３０１３がパケットを処理する時に用いるキャリア信号Ａ、Ｂ、Ｃのパケットの管理情報を蓄積するものである。
【００３１】
アプリケーション情報蓄積部３０２４は、キャリアＡ情報部３０６１、キャリアＢ情報部３０６２及びキャリアＣ情報部３０６３を具備している。キャリアＡ情報部３０６１、キャリアＢ情報部３０６２及びキャリアＣ情報部３０６３は、アプリケーション処理部３０１４がパケットを処理する時に用いるキャリア信号Ａ、Ｂ、Ｃのパケットの管理情報を蓄積するものである。
【００３２】
前記管理情報を蓄積するテーブルとしては、例えば、図４〜図７に示すようにアプリケーション管理情報テーブル、トランスポート管理情報テーブル、ＩＰ管理情報テーブル及びイーサネット（登録商標）管理情報テーブルがある。
【００３３】
次に、本発明の一実施の形態に係るパケット交換装置１００の動作をより具体的に図面を参照して説明する。
【００３４】
まず、パケット交換装置１００による受信処理について、説明する。
【００３５】
イーサネット（登録商標）処理部３０１１は、送受信部１０１からパケットを受信すると、このパケットのキャリア識別子によりパケットがキャリア信号Ａ、Ｂ、Ｃのいずれの信号のものであるかを判断して、イーサネット（登録商標）処理部３０１１がパケットを処理する時に用いるキャリア信号Ａ、Ｂ、Ｃのいずれかのパケットの管理情報をイーサネット（登録商標）情報蓄積部３０２１から読み出して、読み出した管理情報でパケットをイーサネット（登録商標）処理する。次に、イーサネット（登録商標）処理部３０１１は、イーサネット（登録商標）処理の時に生成した管理情報をイーサネット（登録商標）情報蓄積部３０２１に与えて蓄積させ、かつ、パケットをＩＰ処理部３０１２に転送する。
【００３６】
次に、ＩＰ処理部３０１２は、パケットを受信すると、このパケットのキャリア識別子
によりパケットがキャリア信号Ａ、Ｂ、Ｃのいずれの信号のものであるかを判断して、ＩＰ処理部３０１２がパケットを処理する時に用いるキャリア信号Ａ、Ｂ、Ｃのいずれかのパケットの管理情報をＩＰ情報蓄積部３０２２から読み出して、読み出した管理情報でパケットをＩＰ処理する。次に、ＩＰ処理部３０１２は、ＩＰ処理の時に生成した管理情報をＩＰ情報蓄積部３０２２に与えて蓄積させ、かつ、パケットをトランスポート処理部３０１３に転送する。
【００３７】
次に、トランスポート処理部３０１３は、パケットを受信すると、このパケットのキャリア識別子によりパケットがキャリア信号Ａ、Ｂ、Ｃのいずれの信号のものであるかを判断して、トランスポート処理部３０１３がパケットを処理する時に用いるキャリア信号Ａ、Ｂ、Ｃのいずれかのパケットの管理情報をトランスポート情報蓄積部３０２３から読み出して、読み出した管理情報でパケットをトランスポート処理する。次に、トランスポート処理部３０１３は、トランスポート処理の時に生成した管理情報をトランスポート情報蓄積部３０２３に与えて蓄積させ、かつ、パケットをアプリケーション処理部３０１４に転送する。
【００３８】
次に、アプリケーション処理部３０１４は、パケットを受信すると、このパケットのキャリア識別子によりパケットがキャリア信号Ａ、Ｂ、Ｃのいずれの信号のものであるかを判断して、アプリケーション処理部３０１４がパケットを処理する時に用いるキャリア信号Ａ、Ｂ、Ｃのいずれかのパケットの管理情報をアプリケーション情報蓄積部３０２４から読み出して、読み出した管理情報でパケットをアプリケーション処理する。次に、アプリケーション処理部３０１４は、アプリケーション処理の時に生成した管理情報をアプリケーション情報蓄積部３０２４に与えて蓄積させる。
【００３９】
次に、パケット交換装置１００による送信処理について、説明する。
【００４０】
アプリケーション処理部３０１４は、パケットを送信する時に、このパケットのキャリア識別子によりパケットがキャリア信号Ａ、Ｂ、Ｃのいずれの信号のものであるかを判断して、アプリケーション処理部３０１４がパケットを処理する時に用いるキャリア信号Ａ、Ｂ、Ｃのいずれかのパケットの管理情報をアプリケーション情報蓄積部３０２４から読み出して、読み出した管理情報でパケットをアプリケーション処理する。次に、アプリケーション処理部３０１４は、アプリケーション処理の時に生成した管理情報をアプリケーション情報蓄積部３０２４に与えて蓄積させ、かつ、パケットをトランスポート処理部３０１３に転送する。
【００４１】
次に、トランスポート処理部３０１３は、パケットを受信すると、このパケットのキャリア識別子によりパケットがキャリア信号Ａ、Ｂ、Ｃのいずれの信号のものであるかを判断して、トランスポート処理部３０１３がパケットを処理する時に用いるキャリア信号Ａ、Ｂ、Ｃのいずれかのパケットの管理情報をトランスポート情報蓄積部３０２３から読み出して、読み出した管理情報でパケットをトランスポート処理する。次に、トランスポート処理部３０１３は、トランスポート処理の時に生成した管理情報をトランスポート情報蓄積部３０２３に与えて蓄積させ、かつ、パケットをＩＰ処理部３０１２に転送する。
【００４２】
次に、ＩＰ処理部３０１２は、パケットを受信すると、このパケットのキャリア識別子によりパケットがキャリア信号Ａ、Ｂ、Ｃのいずれの信号のものであるかを判断して、ＩＰ処理部３０１２がパケットを処理する時に用いるキャリア信号Ａ、Ｂ、Ｃのいずれかのパケットの管理情報をＩＰ情報蓄積部３０２２から読み出して、読み出した管理情報でパケットをＩＰ処理する。次に、ＩＰ処理部３０１２は、ＩＰ処理の時に生成した管理情報をＩＰ情報蓄積部３０２２に与えて蓄積させ、かつ、パケットをイーサネット（登録商標）処理部３０１１に転送する。
【００４３】
次に、イーサネット（登録商標）処理部３０１１は、パケットを受信すると、このパケットのキャリア識別子によりパケットがキャリア信号Ａ、Ｂ、Ｃのいずれの信号のものであるかを判断して、イーサネット（登録商標）処理部３０１１がパケットを処理する時に用いるキャリア信号Ａ、Ｂ、Ｃのいずれかのパケットの管理情報をイーサネット（登録商標）情報蓄積部３０２１から読み出して、読み出した管理情報でパケットをイーサネット（登録商標）処理する。次に、イーサネット（登録商標）処理部３０１１は、イーサネット（登録商標）処理の時に生成した管理情報をイーサネット（登録商標）情報蓄積部３０２１に与えて蓄積させ、かつ、パケットを送受信部１０１に転送する。
【産業上の利用可能性】
【００４４】
本発明は、複数の種類の管理ネットワークで用いられる複数の種類のキャリア信号のパケット及びユーザが用いる複数の種類の主信号用ネットワークの複数の種類の主信号のパケットを処理することができる効果を有し、パケット交換装置に有用である。
【図面の簡単な説明】
【００４５】
【図１】本発明の一実施の形態に係るパケット交換装置の構成を示すブロック図
【図２】本発明の一実施の形態に係るパケット交換装置を有する通信ネットワークを示す図
【図３】本発明の一実施の形態に係るパケット交換装置の監視制御部の構成を示すブロック図
【図４】本発明の一実施の形態に係るパケット交換装置のアプリケーション管理情報テーブルを説明するための図
【図５】本発明の一実施の形態に係るパケット交換装置のトランスポート管理情報テーブルを説明するための図
【図６】本発明の一実施の形態に係るパケット交換装置のＩＰ管理情報テーブルを説明するための図
【図７】本発明の一実施の形態に係るパケット交換装置のイーサネット（登録商標）管理情報テーブルを説明するための図
【符号の説明】
【００４６】
１００  パケット交換装置
１０１  送受信部
１０２  監視制御部
２０１、２０２、２０３  管理ネットワーク
２１１、２１２  主信号用ネットワーク
３０１  ネットワーク処理部
３０２  ネットワーク管理情報蓄積部
３０１１  イーサネット（登録商標）処理部
３０１２  ＩＰ処理部
３０１３  トランスポート処理部
３０１４  アプリケーション処理部
３０１５、３０１６、３０１７、３０１８  キャリア別振り分け部
３０２１  イーサネット（登録商標）情報蓄積部
３０２２  ＩＰ情報蓄積部
３０２３  トランスポート情報蓄積部
３０２４  アプリケーション情報蓄積部
【図１】
2006109423.tif 000003
【図２】
2006109423.tif 000004
【図３】
2006109423.tif 000005
【図４】
2006109423.tif 000006
【図５】
2006109423.tif 000007
【図６】
2006109423.tif 000008
【図７】
2006109423.tif 000009